(57)【要約】【課題】小型化しても、相手側コネクタとの嵌合時における端子と相手側端子との間の接触信頼性を維持することができるコネクタを提供する。【解決手段】コネクタ１００は、ハウジング２００と、複数の端子３００とを備えている。ハウジング２００は、受容部２１０と、端子収容部２３０とを有している。端子３００は、被固定部３１０と、被保持部３３０と、第１バネ部３４０と、第２バネ部３７０とを有している。第１バネ部３４０は、第１転向部３４２と、第１連結部３４６とを有している。第２バネ部３７０は、第２転向部３７２と、第２連結部３７７と、上側接点３７９と、窪み部３９０とを有している。上側接点３７９は、受容部２１０内に位置しており、第１所定方位に向いている。第２転向部３７２は、下側接点３７５を有している。下側接点３７５は、受容部２１０内に位置しており、第１所定方位に向いている。【選択図】図１３
2020061252.tif 000002
【特許請求の範囲】
【請求項１】
上下方向に沿って相手側コネクタと嵌合可能なコネクタであって、
前記相手側コネクタは、相手側ハウジングと、複数の相手側端子とを備えており、
前記相手側端子は、前記相手側ハウジングに保持されており
前記コネクタは、取付対象物に搭載されるものであり、
前記コネクタは、ハウジングと、複数の端子とを備えており、
前記ハウジングは、受容部と、端子収容部とを有しており、
前記受容部は、前記コネクタが前記相手側コネクタと嵌合した際、前記相手側ハウジングの一部を受容し、
前記端子収容部は、前記受容部と連通しており、且つ前記端子を部分的に収容しており、
前記端子は、前記ハウジングに保持されており、
前記端子は、被固定部と、被保持部と、第１バネ部と、第２バネ部とを有しており、
前記被固定部は、前記取付対象物に固定されるものであり、
前記被保持部は、前記ハウジングに保持されており、
前記第１バネ部は、前記被保持部から延びており、
前記第１バネ部は、第１転向部と、第１連結部とを有しており、
前記第１転向部は、前記被保持部から、少なくとも上方又は前記上下方向と直交する所定方向における第１所定方位に延びた後、下方に向いており、
前記第１連結部は、前記第１転向部から下方に延びており、
前記第２バネ部は、前記第１バネ部から延びており、
前記第２バネ部は、第２転向部と、第２連結部と、上側接点と、窪み部とを有しており、
前記第２転向部は、前記第１連結部により前記第１転向部と連結されており、
前記第２転向部は、前記上下方向において、前記第１転向部より下方に位置しており、
前記第２連結部は、前記第２転向部から上方に延びており、
前記上側接点は、前記第２連結部により前記第２転向部と連結されており、
前記上側接点は、前記受容部内に位置しており、
前記上側接点は、前記第１所定方位に向いており、
前記第２転向部は、下側接点を有しており、
前記下側接点は、前記受容部内に位置しており、
前記下側接点は、前記第１所定方位に向いており、
前記窪み部は、前記所定方向において、前記第１所定方位の逆方位である第２所定方位に窪んでおり、
前記窪み部は、前記上下方向において、前記上側接点と前記下側接点との間に位置している
コネクタ。
【請求項２】
請求項１記載のコネクタであって、
前記所定方向において、前記上側接点と前記端子収容部との間の距離は、前記下側接点と前記端子収容部との間の距離よりも大きい
コネクタ。
【請求項３】
請求項１又は請求項２記載のコネクタであって、
前記受容部は、前記上下方向において上方に開口している
コネクタ。
【請求項４】
請求項１から請求項３までのいずれかに記載のコネクタであって、
前記上側接点は、前記上下方向において、前記第１転向部の上端と前記第２転向部の下端との間の中間位置よりも上方に位置している
コネクタ。
【請求項５】
請求項１から請求項４までのいずれかに記載のコネクタであって、
前記窪み部は、前記第２転向部と前記第２連結部との境界部分に形成されており、
前記窪み部は、前記上下方向において、前記第１転向部の上端と前記第２転向部の下端との間の中間位置よりも下方に位置している
コネクタ。
【請求項６】
請求項５記載のコネクタであって、
前記第２連結部は、前記窪み部から前記上側接点まで直線的に延びている
コネクタ。
【発明の詳細な説明】
【技術分野】
【０００１】
本発明は、相手側コネクタと嵌合可能なコネクタに関する。
【背景技術】
【０００２】
図１８及び図１９を参照すると、特許文献１には、Ｚ方向に沿って相手側コネクタ９５０と嵌合可能なコネクタ９００が開示されている。相手側コネクタ９５０は、相手側ハウジング９６０と、複数の相手側端子９７０とを備えている。相手側端子９７０は、相手側ハウジング９６０に保持されている。コネクタ９００は、取付対象物９８０に搭載されるものである。コネクタ９００は、ハウジング９１０と、複数の端子９２０とを備えている。ハウジング９１０は、受容部９１２と、端子収容部９１６とを有している。受容部９１２は、コネクタ９００が相手側コネクタ９５０と嵌合した際、相手側ハウジング９６０の一部を受容する。端子収容部９１６は、受容部９１２と連通しており、且つ端子９２０を部分的に収容している。端子９２０は、Ｙ方向に２列に配置されるように、ハウジング９１０に保持されている。即ち、端子９２０は、＋Ｘ側の端子列と、−Ｘ側の端子列とを構成している。端子９２０については、＋Ｘ側の端子列に含まれるものに限定して、以下説明する。端子９２０は、被固定部９２２と、被保持部９２４と、第１バネ部９３０と、第２バネ部９４０とを有している。被固定部９２２は、取付対象物９８０に固定されるものである。被保持部９２４は、ハウジング９１０に保持されている。第１バネ部９３０は、被保持部９２４から延びている。第１バネ部９３０は、第１転向部９３２と、第１連結部９３６とを有している。第１転向部９３２は、被保持部９２４から、＋Ｚ方向且つ−Ｘ方向に延びた後、−Ｚ方向に向いている。第１連結部９３６は、第１転向部９３２から−Ｚ方向且つ＋Ｘ方向に延びている。第２バネ部９４０は、第１バネ部９３０から延びている。第２バネ部９４０は、第２転向部９４２と、第２連結部９４４と、上側接点９４６と、窪み部９４８とを有している。第２転向部９４２は、第１連結部９３６により第１転向部９３２と連結されている。第２転向部９４２は、Ｚ方向において、第１転向部９３２より−Ｚ方向に位置している。第２連結部９４４は、第２転向部９４２から＋Ｚ方向に延びている。上側接点９４６は、第２連結部９４４により第２転向部９４２と連結されている。上側接点９４６は、−Ｘ方向に向いている。コネクタ９００と相手側コネクタ９５０とが嵌合していない状態において、上側接点９４６は、端子収容部９１６内に位置している。第２転向部９４２は、下側接点９４３を有している。下側接点９４３は、受容部９１２内に位置しており、−Ｘ方向に向いている。窪み部９４８は、＋Ｘ方向に窪んでいる。窪み部９４８は、Ｚ方向において、上側接点９４６と下側接点９４３との間に位置している。
【０００３】
特許文献１のコネクタ９００と相手側コネクタ９５０とを嵌合させた場合、相手側コネクタ９５０の相手側端子９７０が下側接点９４３に接触すると、第２連結部９４４がシーソー運動して上側接点９４６は−Ｘ方向に移動し、これにより上側接点９４６は相手側端子９７０と接触する。
【先行技術文献】
【特許文献】
【０００４】
【特許文献１】特開２００９−３７９７０号公報
【発明の概要】
【発明が解決しようとする課題】
【０００５】
特許文献１のコネクタ９００を小型化した場合、端子９２０のＺ方向のサイズも小さくなるため、コネクタ９００と相手側コネクタ９５０とを嵌合する際の上側接点９４６の−Ｘ方向への移動量が減少し、コネクタ９００と相手側コネクタ９５０との嵌合時に下側接点９４３のみが相手側端子９７０と接触するような状態も想定される。即ち、コネクタ９００を小型化した場合、コネクタ９００と相手側コネクタ９５０との嵌合時における端子９２０と相手側端子９７０との接触信頼性が低下する可能性がある。
【０００６】
よって本発明は、小型化しても、相手側コネクタとの嵌合時における端子と相手側端子との間の接触信頼性を維持することができるコネクタを提供することを目的とする。
【課題を解決するための手段】
【０００７】
本発明は、第１のコネクタとして、
上下方向に沿って相手側コネクタと嵌合可能なコネクタであって、
前記相手側コネクタは、相手側ハウジングと、複数の相手側端子とを備えており、
前記相手側端子は、前記相手側ハウジングに保持されており
前記コネクタは、取付対象物に搭載されるものであり、
前記コネクタは、ハウジングと、複数の端子とを備えており、
前記ハウジングは、受容部と、端子収容部とを有しており、
前記受容部は、前記コネクタが前記相手側コネクタと嵌合した際、前記相手側ハウジングの一部を受容し、
前記端子収容部は、前記受容部と連通しており、且つ前記端子を部分的に収容しており、
前記端子は、前記ハウジングに保持されており、
前記端子は、被固定部と、被保持部と、第１バネ部と、第２バネ部とを有しており、
前記被固定部は、前記取付対象物に固定されるものであり、
前記被保持部は、前記ハウジングに保持されており、
前記第１バネ部は、前記被保持部から延びており、
前記第１バネ部は、第１転向部と、第１連結部とを有しており、
前記第１転向部は、前記被保持部から、少なくとも上方又は前記上下方向と直交する所定方向における第１所定方位に延びた後、下方に向いており、
前記第１連結部は、前記第１転向部から下方に延びており、
前記第２バネ部は、前記第１バネ部から延びており、
前記第２バネ部は、第２転向部と、第２連結部と、上側接点と、窪み部とを有しており、
前記第２転向部は、前記第１連結部により前記第１転向部と連結されており、
前記第２転向部は、前記上下方向において、前記第１転向部より下方に位置しており、
前記第２連結部は、前記第２転向部から上方に延びており、
前記上側接点は、前記第２連結部により前記第２転向部と連結されており、
前記上側接点は、前記受容部内に位置しており、
前記上側接点は、前記第１所定方位に向いており、
前記第２転向部は、下側接点を有しており、
前記下側接点は、前記受容部内に位置しており、
前記下側接点は、前記第１所定方位に向いており、
前記窪み部は、前記所定方向において、前記第１所定方位の逆方位である第２所定方位に窪んでおり、
前記窪み部は、前記上下方向において、前記上側接点と前記下側接点との間に位置している
コネクタを提供する。
【０００８】
また、本発明は、第２のコネクタとして、第１のコネクタであって、
前記所定方向において、前記上側接点と前記端子収容部との間の距離は、前記下側接点と前記端子収容部との間の距離よりも大きい
コネクタを提供する。
【０００９】
また、本発明は、第３のコネクタとして、第１又は第２のコネクタであって、
前記受容部は、前記上下方向において上方に開口している
コネクタを提供する。
【００１０】
また、本発明は、第４のコネクタとして、第１から第３までのいずれかのコネクタであって、
前記上側接点は、前記上下方向において、前記第１転向部の上端と前記第２転向部の下端との間の中間位置よりも上方に位置している
コネクタを提供する。
【００１１】
また、本発明は、第５のコネクタとして、第１から第４までのいずれかのコネクタであって、
前記窪み部は、前記第２転向部と前記第２連結部との境界部分に形成されており、
前記窪み部は、前記上下方向において、前記第１転向部の上端と前記第２転向部の下端との間の中間位置よりも下方に位置している
コネクタを提供する。
【００１２】
また、本発明は、第６のコネクタとして、第５のコネクタであって、
前記第２連結部は、前記窪み部から前記上側接点まで直線的に延びている
コネクタを提供する。
【発明の効果】
【００１３】
本発明のコネクタにおいては、上側接点及び下側接点の双方が、ハウジングの受容部内に位置している。これにより、本発明のコネクタは、小型化した場合においても、コネクタと相手側コネクタとの嵌合時に上側接点及び下側接点の双方が相手側端子に確実に接触する。即ち、本発明のコネクタは、小型化しても、相手側コネクタとの嵌合時における端子と相手側端子との間の接触信頼性を維持することができる。
【図面の簡単な説明】
【００１４】
【図１】本発明の実施の形態によるコネクタを示す斜視図である。
【図２】図１のコネクタを示す一部切り欠き斜視図である。
【図３】図１のコネクタを示す上面図である。
【図４】図１のコネクタを示す側面図である。図において、取付対象物を点線で示している。
【図５】図１のコネクタに含まれる端子を示す前方斜視図である。
【図６】図５の端子を示す側面図である。
【図７】図５の端子を示す後方斜視図である。
【図８】図５の端子を示す背面図である。
【図９】図５の端子を示す正面図である。
【図１０】図５の端子を示す上面図である。
【図１１】図１のコネクタと嵌合可能な相手側コネクタを示す斜視図である。
【図１２】図１のコネクタと図１１の相手側コネクタとを示す側面図である。図において、コネクタと相手側コネクタとは嵌合していない。
【図１３】図１２のコネクタ及び相手側コネクタをＡ−Ａ線に沿って示す断面図である。図において、第２バネ部の一部を拡大して示している。
【図１４】図１のコネクタと図１１の相手側コネクタとを示す別の側面図である。図において、コネクタと相手側コネクタとは半嵌合状態にある。
【図１５】図１４のコネクタ及び相手側コネクタをＢ−Ｂ線に沿って示す断面図である。図において、コネクタの端子の上側接点は、相手側コネクタの相手側端子に接触しており、コネクタの端子の下側接点は、相手側コネクタの相手側端子に接触していない。
【図１６】図１のコネクタと図１１の相手側コネクタとを示す更に別の側面図である。図において、コネクタと相手側コネクタとは嵌合状態にある。
【図１７】図１６のコネクタ及び相手側コネクタをＣ−Ｃ線に沿って示す断面図である。図において、コネクタの端子の上側接点及び下側接点は、相手側コネクタの相手側端子に接触している。
【図１８】特許文献１のコネクタを示す断面図である。
【図１９】特許文献１のコネクタと相手側コネクタとを示す断面図である。図において、コネクタと相手側コネクタとは嵌合状態にある。
【発明を実施するための形態】
【００１５】
図１、図１１及び図１７を参照して、本発明の実施の形態によるコネクタ１００は、上下方向に沿って相手側コネクタ５００と嵌合可能なものである。本実施の形態において、上下方向は、Ｚ方向である。ここで、上方を＋Ｚ方向、下方を−Ｚ方向とする。
【００１６】
図１１に示されるように、本実施の形態の相手側コネクタ５００は、相手側ハウジング６００と、複数の相手側端子７００とを備えている。
【００１７】
図１１に示されるように、本実施の形態の相手側ハウジング６００は、包囲部６１０と、島状部収容部６２０を有している。
【００１８】
図１１に示されるように、本実施の形態の包囲部６１０は、上下方向に延びる略角筒形状を有している。
【００１９】
図１１に示されるように、本実施の形態の島状部収容部６２０は、上下方向と直交する平面内において包囲部６１０に包囲されている。図１３に示されるように、島状部収容部６２０は、上下方向において上方に凹んだ凹部であり、上面６２２を有している。上面６２２は、島状部収容部６２０の上端を規定している。
【００２０】
図１１に示されるように、本実施の形態の相手側端子７００は、相手側ハウジング６００に保持されている。相手側端子７００は、相手側接触部７１０を有している。相手側接触部７１０は、島状部収容部６２０内に露出している。相手側接触部７１０は、所定方向において内側に向いている。相手側接触部７１０は、下端に傾斜面７１２を有している。傾斜面７１２は、下方且つ所定方向外側に傾斜している。本実施の形態において、所定方向はＸ方向である。
【００２１】
図４に示されるように、本実施の形態のコネクタ１００は、取付対象物８００に搭載されるものである。
【００２２】
図１に示されるように、本実施の形態のコネクタ１００は、ハウジング２００と、複数の端子３００とを備えている。
【００２３】
図１に示されるように、本実施の形態のハウジング２００は、受容部２１０と、島状部２２０とを有している。
【００２４】
図１、図１３、図１５及び図１７に示されるように、本実施の形態の受容部２１０は、上下方向において上方に開口している。即ち、受容部２１０は、上下方向において下方に凹んだ凹部であり、上端に開口部２１２を有している。本実施の形態の受容部２１０は、コネクタ１００が相手側コネクタ５００と嵌合した際、相手側ハウジング６００の一部を受容する。
【００２５】
図１及び図１３に示されるように、本実施の形態の島状部２２０は、上下方向において上方に突出している。島状部２２０は、上下方向において上端２２２を有している。島状部２２０は、上下方向と直交する方向において受容部２１０に包囲されている。島状部２２０の上端２２２は、上下方向において、受容部２１０の開口部２１２よりも上方に位置している。島状部２２０は、複数の端子収容部２３０を有している。即ち、ハウジング２００は、受容部２１０と、端子収容部２３０とを有している。
【００２６】
図１３に示されるように、本実施の形態の端子収容部２３０は、受容部２１０と連通しており、且つ端子３００を部分的に収容している。端子収容部２３０は、所定方向において受容部２１０と連通している。図２を参照して、端子収容部２３０は、ピッチ方向と直交する２つの側壁２３２と、上下方向と直交する上壁２３４とを有している。側壁２３２は、端子収容部２３０のピッチ方向両端に夫々位置している。上壁２３４は、上下方向において端子収容部２３０の上端を規定している。本実施の形態において、ピッチ方向はＹ方向である。
【００２７】
図２及び図１３に示されるように、本実施の形態の端子３００は、ハウジング２００に保持されている。図３を参照して、端子３００は、ピッチ方向において２列に並べられている。即ち、端子３００は、所定方向に配置された２つの端子列３０３，３０５を構成している。端子列３０３は、所定方向において端子列３０５の−Ｘ側に位置している。
【００２８】
端子３００については、端子列３０３（図３参照）に含まれるものに限定して、以下説明する。なお、端子列３０５（図３参照）に含まれる端子３００は、後述する第１所定方位及び第２所定方位の規定以外は、端子列３０３に含まれる端子３００と同じ構成を有しているため、詳細は省略する。
【００２９】
図５から図１０までを参照して、本実施の形態の端子３００は、所謂曲げコンタクトである。なお本発明はこれに限定されず、端子３００は、所謂打ち抜きコンタクトであってもよい。
【００３０】
図６に示されるように、本実施の形態の端子３００は、被固定部３１０、被保持部３３０と、第１バネ部３４０と、第２バネ部３７０とを有している。
【００３１】
図４に示されるように、本実施の形態の被固定部３１０は、取付対象物８００に固定されるものである。図６に示されるように、被固定部３１０は、上下方向において、端子３００の下端を規定している。被固定部３１０は、所定方向において、端子３００の外端を規定している。即ち、被固定部３１０は、所定方向において、端子３００の−Ｘ端を規定している。ここで、第１所定方位を−Ｘ方向とし、第２所定方位を＋Ｘ方向とする。なお、端子列３０５（図３参照）に含まれる端子３００においては、第１所定方位は＋Ｘ方向であり、第２所定方位は−Ｘ方向である。
【００３２】
図８に示されるように、本実施の形態の被保持部３３０は、ピッチ方向外側に突出している。図６に示されるように、被保持部３３０は、上下方向において被固定部３１０の上方に位置している。図２に示されるように、本実施の形態の被保持部３３０は、ハウジング２００に保持されている。即ち、被保持部３３０は、ハウジング２００に圧入されている。より詳しくは、被保持部３３０は、ハウジング２００の端子収容部２３０の側壁２３２に圧入されている。なお、本発明はこれに限定されず、被保持部３３０は、インサートモールド成形によりハウジング２００にモールドインされていてもよい。
【００３３】
図５から図７までに示されるように、本実施の形態の第１バネ部３４０は、被保持部３３０から延びている。第１バネ部３４０は、ピッチ方向に沿って見た場合、略Ｕ字形状を有している。
【００３４】
図５から図７までに示されるように、本実施の形態の第１バネ部３４０は、第１転向部３４２と、第１連結部３４６とを有している。
【００３５】
図５から図７までに示されるように、本実施の形態の第１転向部３４２は、被保持部３３０から、上方に延びつつ第１所定方位に延びた後、下方に向いている。即ち、第１転向部３４２において、第１バネ部３４０の延びる方向が変化している。なお、本発明はこれに限定されず、第１転向部３４２は、被保持部３３０から第１所定方位に延びた後、下方に向いていてもよい。即ち、第１転向部３４２は、少なくとも上方又は上下方向と直交する所定方向における第１所定方位に延びた後、下方に向いていればよい。第１転向部３４２は、上下方向において上端３４３を有している。第１転向部３４２は、上下方向において被保持部３３０の上方に位置している。即ち、被保持部３３０は、上下方向において第１転向部３４２の下方に配置されている。
【００３６】
図５から図７までに示されるように、本実施の形態の第１連結部３４６は、第１転向部３４２から下方に延びている。より詳しくは、第１連結部３４６は、第１転向部３４２から下方且つ第２所定方位に延びている。第１連結部３４６は、細長い平板形状を有している。
【００３７】
図５から図７までに示されるように、本実施の形態の第２バネ部３７０は、第１バネ部３４０から延びている。
【００３８】
図５から図７までに示されるように、本実施の形態の第２バネ部３７０は、第２転向部３７２と、第２連結部３７７と、上側接点３７９と、窪み部３９０と、ガイド部３９５とを有している。
【００３９】
図５から図７までに示されるように、本実施の形態の第２転向部３７２は、ピッチ方向に沿って見た場合、略Ｃ字形状を有している。即ち、第２転向部３７２において、第２バネ部３７０の延びる方向が変化している。第２転向部３７２は、上下方向において下端３７３を有している。第２転向部３７２は、第１連結部３４６により第１転向部３４２と連結されている。第２転向部３７２は、上下方向において、第１転向部３４２より下方に位置している。図１０に示されるように、第２転向部３７２の一部は、端子３００単体を上方から見た場合、視認可能となっている。
【００４０】
図６に示されるように、第１転向部３４２は、上下方向において、所定方向と平行であって第１転向部３４２の上端３４３と第２転向部３７２の下端３７３との間の中間位置ＭＰを通る仮想線Ｌ１より上方に位置している。第１連結部３４６は、仮想線Ｌ１と重なっている。第１連結部３４６は、上下方向と平行であって第２転向部３７２の下端３７３を通る仮想線Ｌ２に対して、第２所定方位側に位置している。第１連結部３４６は、仮想線Ｌ２と重なっていない。第２転向部３７２は、上下方向において、仮想線Ｌ１より下方に位置している。
【００４１】
図５から図７までに示されるように、本実施の形態の第２連結部３７７は、細長い平板形状を有している。第２連結部３７７は、仮想線Ｌ１と重なっている。第２連結部３７７は、仮想線Ｌ２に対して、第１所定方位側に位置している。第２連結部３７７は、仮想線Ｌ２と重なっていない。第２連結部３７７は、第２転向部３７２から上方に延びている。より詳しくは、第２連結部３７７は、窪み部３９０から上側接点３７９まで直線的に延びている。なお、本発明はこれに限定されず、第２連結部３７７は、窪み部３９０から上側接点３７９まで第１所定方位に膨らみながら延びていてもよい。即ち、第２連結部３７７は、第１所定方位に膨らんだ弧状形状を有していてもよい。
【００４２】
図５から図７までに示されるように、本実施の形態の上側接点３７９は、コネクタ１００と相手側コネクタ５００とが嵌合した際に、相手側端子７００の相手側接触部７１０と接触するものである。上側接点３７９は、第２連結部３７７により第２転向部３７２と連結されている。上側接点３７９は、上下方向において、仮想線Ｌ１より上方に位置している。上側接点３７９は、仮想線Ｌ２より第１所定方位側に位置している。
【００４３】
図１３に示されるように、本実施の形態の上側接点３７９は、受容部２１０内に位置している。上側接点３７９は、第１所定方位に向いている。上側接点３７９は、所定方向において、端子収容部２３０から距離Ｄ１だけ離れている。より詳しくは、上側接点３７９は、所定方向において、端子収容部２３０の側壁２３２の第１所定方位における端部から距離Ｄ１だけ離れている。図６に示されるように、上側接点３７９は、上下方向において、第１転向部３４２の上端３４３と第２転向部３７２の下端３７３との間の中間位置ＭＰよりも上方に位置している。上側接点３７９は、上下方向において、第１転向部３４２の上端３４３よりも下方に位置している。上側接点３７９は、上下方向において第１連結部３４６よりも上方に位置している。
【００４４】
図５から図７までに示されるように、本実施の形態の第２転向部３７２は、下側接点３７５を有している。
【００４５】
図６に示されるように、本実施の形態の下側接点３７５は、コネクタ１００と相手側コネクタ５００とが嵌合した際に、相手側端子７００の相手側接触部７１０と接触するものである。下側接点３７５は、上下方向において、中間位置ＭＰよりも下方に位置している。下側接点３７５は、上下方向において第２転向部３７２の下端３７３よりも上方に位置している。
【００４６】
図１３に示されるように、本実施の形態の下側接点３７５は、受容部２１０内に位置している。下側接点３７５は、第１所定方位に向いている。下側接点３７５は、所定方向において、端子収容部２３０から距離Ｄ２だけ離れている。より詳しくは、下側接点３７５は、所定方向において、端子収容部２３０の側壁２３２の第１所定方位における端部から距離Ｄ２だけ離れている。
【００４７】
図１３を参照して、所定方向において、上側接点３７９と端子収容部２３０との間の距離Ｄ１は、下側接点３７５と端子収容部２３０との間の距離Ｄ２よりも大きくなっている。より詳しくは、所定方向において、上側接点３７９と端子収容部２３０の側壁２３２の第１所定方位における端部との間の距離Ｄ１は、下側接点３７５と端子収容部２３０の側壁２３２の第１所定方位における端部との間の距離Ｄ２よりも大きくなっている。即ち、所定方向において、上側接点３７９の方が、下側接点３７５よりも受容部２１０内に張り出している。
【００４８】
図６に示されるように、本実施の形態の窪み部３９０は、所定方向において、第１所定方位の逆方位である第２所定方位に窪んでいる。窪み部３９０は、第２転向部３７２と第２連結部３７７との境界部分３８０に形成されている。窪み部３９０は、上下方向において、上側接点３７９と下側接点３７５との間に位置している。窪み部３９０は、仮想線Ｌ２に対して、第１所定方位側に位置している。また、窪み部３９０は、仮想線Ｌ２と重なっていない。
【００４９】
図６に示されるように、窪み部３９０は、上下方向において、第１転向部３４２の上端３４３と第２転向部３７２の下端３７３との間の中間位置ＭＰよりも下方に位置している。これにより、端子３００の上下方向におけるサイズを抑制しつつ、上側接点３７９の所定方向における可動範囲を適切に確保することができる。
【００５０】
図５から図７までに示されるように、本実施の形態のガイド部３９５は、上側接点３７９から上方且つ第２所定方位に延びている。より詳しくは、ガイド部３９５は、上側接点３７９から上方且つ第２所定方位に直線的に延びており、上端３９６が自由端となっている。ガイド部３９５は、細長い略平板形状を有している。上端３９６は、上下方向において、第１転向部３４２の上端３４３よりも上方に位置している。図１３に示されるように、上端３９６は、ハウジング２００の端子収容部２３０内に位置している。
【００５１】
本実施の形態のコネクタ１００と相手側コネクタ５００との嵌合操作及び嵌合時におけるコネクタ１００の端子３００の各部位の動作状態を以下に詳述する。
【００５２】
まず、図１３を参照して、上下方向において、コネクタ１００の島状部２２０と相手側コネクタ５００の島状部収容部６２０とが対向し且つコネクタ１００の受容部２１０と相手側コネクタ５００の包囲部６１０とが対向するように、コネクタ１００と相手側コネクタ５００とを位置決めする。
【００５３】
次に、相手側コネクタ５００とコネクタ１００とが上下方向において近づくように、相手側コネクタ５００をコネクタ１００に対して下方に移動させると、相手側コネクタ５００の相手側端子７００の相手側接触部７１０の傾斜面７１２が、コネクタ１００の端子３００のガイド部３９５と上下方向において接触する。
【００５４】
ここで、相手側コネクタ５００を下方に押圧すると、相手側コネクタ５００の相手側端子７００の相手側接触部７１０の傾斜面７１２は、コネクタ１００の端子３００のガイド部３９５を第２所定方位に移動させながら下方に移動し、上側接点３７９と接触する。
【００５５】
上述のように、上側接点３７９は、上下方向において、第１転向部３４２の上端３４３と第２転向部３７２の下端３７３との間の中間位置ＭＰよりも上方に位置している。これにより、相手側コネクタ５００の相手側端子７００の相手側接触部７１０の傾斜面７１２がコネクタ１００の端子３００のガイド部３９５を第２所定方位に移動させると、下側接点３７５は、第１所定方位に若干移動する。
【００５６】
相手側コネクタ５００の相手側端子７００の傾斜面７１２がコネクタ１００の端子３００の上側接点３７９と接触した状態から、相手側コネクタ５００を下方に更に押圧すると、図１５の状態となる。
【００５７】
このとき、相手側コネクタ５００の包囲部６１０の一部は、コネクタ１００の受容部２１０に受容されており、コネクタ１００の島状部２２０の一部は、相手側コネクタ５００の島状部収容部６２０に収容されている。またこのとき、相手側コネクタ５００の相手側端子７００の相手側接触部７１０は、コネクタ１００の端子３００の上側接点３７９と、所定方向において接触している。
【００５８】
図１５の状態から、相手側コネクタ５００を更に下方に押圧すると、相手側コネクタ５００の相手側端子７００の相手側接触部７１０の傾斜面７１２は、コネクタ１００の端子３００の下側接点３７５を第２所定方位に移動させながら下方に移動し、図１７の状態となる。
【００５９】
このとき、相手側コネクタ５００の相手側端子７００の相手側接触部７１０は、コネクタ１００の端子３００の上側接点３７９及び下側接点３７５の双方と、所定方向において接触している。
【００６０】
上述のように、相手側コネクタ５００の相手側端子７００が、コネクタ１００の端子３００の上側接点３７９に接触して図１５の状態となった際に、下側接点３７５は、所定方向において第１所定方位に若干移動する。これにより、図１７の状態において、コネクタ１００の端子３００の下側接点３７５は、相手側コネクタ５００の相手側端子７００と十分な接触圧で接触することができる。
【００６１】
以上、本発明について、実施の形態を掲げて具体的に説明してきたが、本発明はこれに限定されるわけではなく、種々の変形が可能である。
【００６２】
本実施の形態のコネクタ１００の受容部２１０は、上下方向において上方に開口しており、上方から相手側コネクタ５００を受容したが、本発明はこれに限定されない。コネクタ１００は、上下方向において下方に開口しており、下方から相手側コネクタ５００を受容するように構成されていてもよい。この場合、コネクタ１００と相手側コネクタ５００とが嵌合する際、下側接点３７５が相手側接触部７１０と接触した後、上側接点３７９が相手側接触部７１０と接触することとなる。
【００６３】
本実施の形態のコネクタ１００の端子３００の被保持部３３０は、第１転向部３４２の下方に配置されていたが、本発明はこれに限定されない。即ち、図６を参照して、被保持部３３０は、図示された被保持部３３０の位置から第１転向部３４２の上端３４３の位置までの範囲であれば、端子３００のどの位置に配置されていてもよい。
【符号の説明】
【００６４】
１００        コネクタ
２００        ハウジング
２１０        受容部
２１２        開口部
２２０        島状部
２２２        上端
２３０        端子収容部
２３２        側壁
２３４        上壁
３００        端子
３０３        端子列
３０５        端子列
３１０        被固定部
３３０        被保持部
３４０        第１バネ部
３４２        第１転向部
３４３        上端
３４６        第１連結部
３７０        第２バネ部
３７２        第２転向部
３７３        下端
３７５        下側接点
３７７        第２連結部
３７９        上側接点
３８０        境界部分
３９０        窪み部
３９５        ガイド部
３９６        上端
５００        相手側コネクタ
６００        相手側ハウジング
６１０        包囲部
６２０        島状部収容部
６２２        上面
７００        相手側端子
７１０        相手側接触部
７１２        傾斜面
８００        取付対象物
Ｄ１          距離
Ｄ２          距離
Ｌ１          仮想線
Ｌ２          仮想線
ＭＰ          中間位置
【図１】
2020061252.tif 000003
【図２】
2020061252.tif 000004
【図３】
2020061252.tif 000005
【図４】
2020061252.tif 000006
【図５】
2020061252.tif 000007
【図６】
2020061252.tif 000008
【図７】
2020061252.tif 000009
【図８】
2020061252.tif 000010
【図９】
2020061252.tif 000011
【図１０】
2020061252.tif 000012
【図１１】
2020061252.tif 000013
【図１２】
2020061252.tif 000014
【図１３】
2020061252.tif 000015
【図１４】
2020061252.tif 000016
【図１５】
2020061252.tif 000017
【図１６】
2020061252.tif 000018
【図１７】
2020061252.tif 000019
【図１８】
2020061252.tif 000020
【図１９】
2020061252.tif 000021